(57)【要約】【課題】荷重負荷を受けても歪みにくく、温度や湿度の変化により変形しにくい箱形状の安定性に優れた段ボール棺を提供する。【解決手段】段ボール棺１０は、強化段ボール材の展開シートを折り曲げることにより形成される箱体１２と、この箱体１２の箱形状を強化するための筋交い板１６とを備える。箱体１２は、矩形の底板１２Ａと、この底板１２Ａの長手方向の左右にほぼ垂直に立ち上げられる矩形の側板１２Ｂと、底板１２Ａの長手方向の前後にほぼ垂直に立ち上げられる矩形の妻板１２Ｃとを備え、箱体１２の内側底部の左右隅であって長手方向の中央部に、側板壁面と底板壁面とを突っ張る強化段ボールからなる筋交い板１６が設けられる。筋交い板１６は、一定の幅と厚みをもって箱体１２の長手方向に連なる帯状の板であり、当該帯状の板の下方に空間を伴って側板１２Ｂと底板１２Ａとの間にほぼ４５゜の傾斜をもって架け渡される。【選択図】図１
0003176847.tif 000002
【実用新案登録請求の範囲】
【請求項１】
強化段ボール材の展開シートを折り曲げることにより形成される箱体と、この箱体の箱形状を強化するための筋交い板とを備えた段ボール棺であって、
前記箱体は、
矩形の底板と、
この底板の長手方向の左右にほぼ垂直に立ち上げられる矩形の側板と、
前記底板の長手方向の前後にほぼ垂直に立ち上げられる矩形の妻板とを備え、
前記箱体の内側底部の左右隅であって長手方向の中央部に、前記側板壁面と前記底板壁面とを突っ張る強化段ボールからなる前記筋交い板が設けられ、
前記筋交い板は、一定の幅と厚みをもって前記箱体の長手方向に連なる帯状の板であり、当該帯状の板の下方に空間を伴って前記側板と前記底板との間にほぼ４５゜の傾斜をもって架け渡されることを特徴とする段ボール棺。
【請求項２】
請求項１記載の段ボール棺であって、前記箱体および前記筋交い板が、一対の厚板の間に波板を積層してなる強化段ボール材からなり、かつ、前記箱体における前記波板の凹凸条と前記筋交い板における前記波板の凹凸条とが直交するように配向される、段ボール棺。
【請求項３】
請求項１または２記載の段ボール棺であって、前記筋交い板の長さが、前記箱体の長手方向中間位置に前記筋交い板の長手方向中間位置を一致させた状態で、前記箱体の全長の１／２０〜１／２の範囲に設定される、段ボール棺。
【請求項４】
請求項１、２または３記載の段ボール棺であって、前記箱体の上端部に、前記側板および前記妻板の先端を内側に折り返してなる補強枠が形成される、段ボール棺。
【考案の詳細な説明】
【技術分野】
【０００１】
本考案は、段ボール棺に関するもので、詳しくは、段ボール棺の箱形状を強化するための補強構造に関するものである。
【背景技術】
【０００２】
従来より、木製棺に代わる棺として段ボール棺が知られている。段ボール棺は、木製棺に比べ軽量で燃焼性および加工性に優れるため、環境に優しい葬送品として注目されている。
【０００３】
最近では、強化段ボール材を採用した段ボール棺が開発されている。この種の段ボール棺は、強化段ボール材の展開シートを箱状に折り曲げて形成される。
例えば、図１１に示すように、展開シートＰ0は、矩形の底板２Ａの左右に側板２Ｂ，２Ｂが設けられ、底板２Ａの前後に妻板２Ｃ，２Ｃが設けられる。底板２Ａと、側板２Ｂおよび妻板２Ｃとの境界には、折曲げ用の縦Ｖ溝ｙ0、横Ｖ溝ｘ0がほぼ９０゜角のＶ字状の断面をもって形成される。
図１１の状態から底板２Ａに対し側板２Ｂと妻板２Ｃを垂直に折り曲げ、これらのＶ溝面を貼り合わせて下箱２を組み立てる。下箱２の上方には、強化段ボール材で別個に作成された上蓋が開閉可能に載置される。
【０００４】
なお、段ボール棺の補強に係る先行技術としては、特許文献１および２が開示されている。
【先行技術文献】
【特許文献】
【０００５】
【特許文献１】特開２００４−２０８８６０号公報  請求項４、図４「補強材２５Ｃ」参照
【特許文献２】実開平７−１７２２５号公報  請求項２〜４、図７「厚紙（第一補強部材２０）」参照
【考案の概要】
【考案が解決しようとする課題】
【０００６】
しかしながら、このような従来の段ボール棺（図１１参照）は、段ボール材の強度が木材よりも小さいため、木製棺に比べて耐荷重性が劣る。特に、下箱には、荷重が直接作用するため、荷重負荷が大きくなると箱形状が大きく歪む。
また、段ボール材が温度や湿度の変化の影響を受けやすいため、長期間保管していると、箱形状が変形してしまい、段ボール棺の製品価値を損ねるといった問題もある。
【０００７】
本考案は、このような現状に鑑みなされたもので、荷重負荷を受けても歪みにくく、温度や湿度の変化により変形しにくい箱形状の安定性に優れた段ボール棺を提供することを目的としている。
【課題を解決するための手段】
【０００８】
このような状況の下、本考案者らは、強化段ボール材からなる展開シートを折り曲げて形成した下箱サイズの箱体について、納棺時の負荷の大きさ・位置を仮定した耐荷重性の試験を繰り返し行い、箱形状の歪みや変形の状況を調査した。この結果、箱体が潰れるときの形状変化の過程には、一定の法則性があることを知見し、このような箱体の長手方向の中央部の特定箇所を強化することで、箱全体の強度が大幅に高められることを見出した。
【０００９】
［第１考案］
すなわち、前記課題を解決するための本考案の段ボール棺は、
強化段ボール材の展開シートを折り曲げることにより形成される箱体と、この箱体の箱形状を強化するための筋交い板とを備えた段ボール棺であって、
前記箱体は、
矩形の底板と、
この底板の長手方向の左右にほぼ垂直に立ち上げられる矩形の側板と、
前記底板の長手方向の前後にほぼ垂直に立ち上げられる矩形の妻板とを備え、
前記箱体の内側底部の左右隅であって長手方向の中央部に、前記側板壁面と前記底板壁面とを突っ張る強化段ボールからなる前記筋交い板が設けられ、
前記筋交い板は、一定の幅と厚みをもって前記箱体の長手方向に連なる帯状の板であり、当該帯状の板の下方に空間を伴って前記側板と前記底板との間にほぼ４５゜の傾斜をもって架け渡される構成とした。
【００１０】
前述した本考案者らによる耐荷重試験によれば、箱体内部への荷重負荷が大きくなると、最初に図１２（Ａ）に示すように、左右の側板２Ｂの中央部に内向きの負荷がかかる。この負荷に側板２Ｂが耐えきれなくなると、図１２（Ｂ）に示すように、側板２Ｂが内側に倒れ始めて同時に底板２Ａが長手方向（前後方向）に撓み出す。
さらに、荷重が大きくなると、図１２（Ｃ）に示すように、側板２Ｂがさらに内側に倒れ込んで、箱体上部の長手方向の中央付近で潰れが起こり、この潰れ部分を支点にして箱全体が中央に折り畳まれるように折れ曲がる。
【００１１】
第１考案の構成では、箱体の内側底部で筋交い板によって底板および側板の長手方向中央部の壁面を突っ張ることで、側板の初期段階の内側への倒れ込みを防止する。これにより、箱体への荷重負荷が箱全体に分散されて箱形状の歪みを抑えることができる。
【００１２】
また、温度や湿度の変化により段ボール棺が変形する場合には、通常、側板が長手方向に伸びて、この伸びが側板の中央部を内側へ反らせる。第１考案の構成によれば、側板の内側への反りを筋交い板によって止めることで側板を真っ直ぐに保つ。この結果、温度や湿度の変化による箱形状の変形を抑えることができる。
【００１３】
［第２考案］
第２考案の段ボール棺は、第１考案の構成を有するものであって、
前記箱体および前記筋交い板が、一対の厚板の間に波板を積層してなる強化段ボール材からなり、かつ、前記箱体における前記波板の凹凸条と前記筋交い板における前記波板の凹凸条とが直交するように配向される構成とした。
【００１４】
このような構成によれば、箱体とともに筋交い板を強化段ボール材で形成することができるため、軽量で燃焼性に優れる段ボール棺の特性を損なうことがない上に、箱体と筋交い板との間で強化段ボール材の波板の凹凸条を直交させることで、箱体の長手方向および短手方向の強度をバランスよく補強することができる。
【００１５】
［第３考案］
考案者らの試験によれば、箱体の内側底部の左右隅に筋交い板を設ける場合、箱体の長手方向中間位置を基準として一定の範囲の長さを確保すれば、それ以上筋交い板を長くしても箱体の耐荷重性は大きく向上しないことが確認された。具体的には、箱体の長手方向の全長に対し、その中心位置から１／２０〜１／２程度の範囲で筋交い板を設ければ箱体の強度を一般的な使用に十分に耐える程度に高めることができる。
【００１６】
そこで、第３考案の段ボール棺は、第１または２考案の構成を有するものであって、
前記筋交い板の長さが、前記箱体の長手方向中間位置に前記筋交い板の長手方向中間位置を一致させた状態で、前記箱体の全長の１／２０〜１／２の範囲に設定される構成とした。
【００１７】
このように筋交い板の長さを上記範囲に制限することで、箱形状を補強しつつ、材料コストを節約し、段ボール棺の軽量化を図ることが可能になる。
【００１８】
［第４考案］
第４考案の段ボール棺は、第１〜３考案のいずれかの構成を有するものであって、
前記箱体の上端部に、前記側板および前記妻板の先端を内側に折り返してなる補強枠が形成される構成とした。
【００１９】
前述したように、箱体が荷重負荷を受けると、その長手方向中央部で折り曲がる直前に側板の上端中央付近が局部的に圧縮されて潰れる。同時に、前後の妻板が内側に倒れ込むように傾く。第４考案の構成では、このような側板の上端部の潰れと妻板の傾きを補強枠が防止する。これにより、段ボール棺の強度を高めることができる。
【００２０】
なお、側板の内側上部には、補強枠に加えて側板の上部中央を補強するための補助板を追加してもよい。このように箱体の潰れが起こりやすい部分を集中的に補強することで、段ボール棺の強度をさらに向上させることが可能になる。
【００２１】
［第１〜４考案］
第１〜４考案は、強化段ボール材からなる展開シートを折り曲げて箱体を組み立てる段ボール棺に適用することができる。通常は、段ボール棺の下箱と上蓋のうち、下箱に本考案を適用することが想定されるが、上蓋が箱状になっている場合には、このような上蓋にも本考案を適用することができる。
段ボール棺の用途（人用、ペット用等）や種類（寝棺、座棺等）は、特に限定されることはない。
【００２２】
なお、第１〜４考案は、単独で適用してもよいし、これらの考案を必要に応じて組み合わせて適用することもできる。また、第１〜４考案に本明細書に記載される他の考案を組み合わせてもよい。
【図面の簡単な説明】
【００２３】
【図１】本考案の第１実施形態の段ボール棺を示す斜視図である。
【図２】同段ボール棺の下箱を組み立てる展開シートを示す平面図およびその破線方向の端面図である。
【図３】同段ボール棺の下箱を示す平面図である。
【図４】図３の［４］−［４］線横断面図である。
【図５】同段ボール棺の筋交い板を示すもので、図４の［５］部分の拡大断面図である。
【図６】同段ボール棺の下箱の作用を説明するための部分横断面図である。
【図７】同段ボール棺の下箱の作用を説明するための縦断面図である。
【図８】本考案の第２実施形態の段ボール棺を示す斜視図である。
【図９】同段ボール棺の下箱を示す横断面図である。
【図１０】本考案の第３実施形態の段ボール棺を示す斜視図である。
【図１１】従来の段ボール棺の下箱を組み立てる展開シートを示す平面図およびその破線方向の端面図である。
【図１２】段ボール棺の荷重増加に伴う形状変化の過程を示すもので、（Ａ）は変形前の斜視図およびその矢視方向断面図、（Ｂ）は変形開始後の斜視図およびその矢視方向断面図、（Ｃ）は潰れ発生時の側面図およびその矢視方向断面図である。
【考案を実施するための形態】
【００２４】
以下、本考案の実施形態を図面に基づいて説明する。本実施形態は、段ボール棺の下箱に本考案を適用したものである。
【００２５】
［第１実施形態］
図１に示すように、段ボール棺１０は、下箱１２と蓋１３とからなる。下箱１２の上方に蓋１３が載置される。蓋１３の前側上部には、小窓１４が設けられる。この小窓１４には観音扉が取り付けられ、これらの扉を開くことで棺の内部が覗けるようになっている。
段ボール棺１０の寸法は、例えば長さが１７０〜２００ｃｍ程度、幅が５０〜７０ｃｍ程度、下箱１２と上蓋１３を含めた高さが４０〜５０ｃｍ程度である。
【００２６】
下箱１２および上蓋１３は、強化段ボール材により形成される。強化段ボール材としては、例えば、板厚１０〜２０ｍｍ程度の三層強化段ボール材（例えばトライウォール社製）が採用される。この種の段ボール材は、図５の部分拡大図に示すように、２枚の厚板（ライナー）Ｒf，Ｒbとの間に、３層の波板ｒ1〜ｒ3が仕切り板ｒ4およびｒ5を介して積層されてなるもので、優れた耐圧性・耐水性をもつ。
強化段ボール材に折曲げ用のＶ溝を形成する際には、これらの層のうち厚板Ｒf，Ｒbのいずれかを残して他の層を回転刃等を用いて切削する。強化段ボール材の板を折り曲げる際には、残した片方の厚板（ライナー）のみを折り曲げて、Ｖ溝の傾斜する溝面を互いに密着させる。Ｖ溝の溝角がほぼ９０゜になるようにＶ溝加工を施せば、隣り合う板同士がほぼ垂直に折れ曲がる。なお、他のＶ溝の形成方法としては、プレス機等で段ボール面を断面Ｖ字状に圧縮して形成することもできる。
【００２７】
段ボール棺１０の表面には、必要に応じて布やフィルムなどの化粧シートが貼り付けられる。このような化粧仕上げ施すことで、段ボール材の表面が隠れて棺の外観が高級感のあるものに仕上がる。
【００２８】
図２に示すように、下箱１２の展開シートＰ1は、矩形の底板１２Ａの左右に側板１２Ｂ，１２Ｂが設けられ、底板１２Ａの前後に妻板１２Ｃ，１２Ｃが設けられる。底板１２Ａと、側板１２Ｂおよび妻板１２Ｃとの境界には、折曲げ用の縦Ｖ溝ｙ1、横Ｖ溝ｘ1が形成されている。これらの縦Ｖ溝ｙ1、横Ｖ溝ｘ1は、ほぼ９０゜角のＶ字状の断面をもつ。
側板１２Ｂおよび妻板１２Ｃの先端部には、Ｗ溝（ほぼ９０゜角にカットされたＶ溝を２列に並設して形成した溝）を挟んで枠板１２Ｄが設けられる。図２の状態では、枠板１２ＤがＷ溝により１８０゜折り返されている。
【００２９】
図２の状態から底板１２Ａに対し側板１２Ｂと妻板１２Ｃを垂直に折り曲げ、これらのＶ溝面を接着剤、粘着テープ等で貼り合わせると、図１に示す下箱１２となる。下箱１２の上端部には、前後左右の４つの枠板１２Ｄが合わさって補強枠が形成される。
【００３０】
図１および図３に示すように、下箱１２の内側底部の左右隅には、強化段ボール材からなる筋交い板１６が設けられる。筋交い板１６は、一定の幅と厚みをもつ帯状の板であり、側板１２Ｂと底板１２Ａの間にほぼ４５゜の傾斜をもって架け渡されている（図４参照）。筋交い板１６の左右側端は、その表裏の板面に対して４５゜の傾斜で左右対称にカットされ、これらの傾斜面が接着剤、粘着テープ等により側板１２Ｂと底板１２Ａとの壁面に強固に固定されている。
【００３１】
筋交い板１６の長さについては、下箱１２の長手方向中間位置に筋交い板１６の長手方向中間位置を一致させた状態で、下箱１２の全長の１／２程度（８０〜１００ｃｍ程度）に設定される。また、筋交い板１６の板幅は、５〜１０ｃｍ程度に設定される。
なお、筋交い板１６は、下箱１２の内側底部の左右隅に位置するため、棺に遺体を入れるときの邪魔になることはない。また、下箱１２の仕上げに伴って化粧布で筋交い板１６が隠れるため、棺の使用時に下箱１２の内側に筋交い板１６が見えることはない。
【００３２】
図５に示すように、筋交い板１６の横断面には、強化段ボール材の内部構造として厚板Ｒb，Ｒfの間に波板ｒ1〜ｒ3の積層構造が現れる。これらの波板ｒ1〜ｒ3の凹凸条は、下箱１２の長手方向に連なって延びる。これにより、筋交い板１６の長手方向に対する曲げ強度が十分に大きく確保されている。
【００３３】
なお、下箱１２については、その波板の凹凸条が筋交い板１６の凹凸条と直交する方向に向けられている。すなわち、図２の展開シートＰ1において、波板の凹凸条は、左右方向に連なって延びている。
このように下箱１２と筋交い板１６との間で波板の凹凸条を直交させることで、下箱１２の長手方向および短手方向の強度がバランスよく補強される。特に、本実施形態の構成では、底板１２Ａと側板１２Ｂとの間で角部の寸法精度が高くなり、しかも、下箱１２の中央部の強度が大きい高品質の段ボール棺１０を得ることができる。もちろん下箱１２と筋交い板１６における凹凸条の向きを反対にすることも可能である。この場合でも、下箱１２の長手方向および短手方向の強度をバランスよく補強することができる。
【００３４】
次に、段ボール棺１０の作用・効果を説明する。
図６に示すように、下箱１２の内部で下向きの荷重負荷が大きくなると、側板１２Ｂには底板１２Ａに引っ張られて内側へ倒れ込もうとする負荷（矢印ｔ参照）が作用する。しかしながら、段ボール棺１０では、筋交い板１６が底板１２Ａと側板１２Ｂの壁面を突っ張って側板１２Ｂの倒れ込みを防止するため、前述したような下箱１２が潰れる際の初期の変形が起こらない（図１２（Ｂ）参照）。この結果、箱形状の歪みを抑えて耐荷重性を大幅に向上させることができる。考案者らの実験によれば、筋交い板１６の付いたものでは、付いていないものに比べ耐荷重性が６０〜８０ｋｇ高められることが確認された。
【００３５】
また、温度や湿度の変化により側板１２Ｂが長手方向に伸びて内側に反ろうとしても、筋交い板１６が側板１２Ｂの中央部の壁面を支持して内側への反りを止める。このため、側板１２Ｂの姿勢を真っ直ぐに保ち、温度や湿度の変化による箱形状の変形を抑えることができる。
【００３６】
さらに、段ボール棺１０では、側板１２Ｂおよび妻板１２Ｃの上端部に補強枠（枠板１２Ｄ）が折り返されるため、これらの枠板１２Ｄによっても下箱１２の歪みや変形を抑えることができる。つまり、筋交い板１６の突っ張り力に加えて補強枠（枠板１２Ｄ）が側板１２Ｂおよび妻板１２Ｃの内側へ倒れ込みを防止し、筋交い板１６と相俟って下箱１２強度を高めることができる。
【００３７】
［第２実施形態］
次に、本考案の第２実施形態を図８および図９に示した。第２実施形態の段ボール棺２０は、側板１２Ｂの内側上部に補助板２１を追加したものである。
段ボール棺２０は、下箱１２と上蓋１３とからなり、下箱１２の内側底部の左右隅に第１実施形態と同様な筋交い板１６が設けられる。下箱１２の上端部には、側板１２Ｂおよび妻板１２Ｃの先端を内側に折り返して補強枠（枠板Ｄ）が形成されている。
側板１２Ｂの内側上部であって補強枠（枠板１２Ｄ）の直ぐ下には、補助板２１が固定される（図９参照）。補助板２１は、同様な強化段ボール材を一定幅に切断して形成されるもので、筋交い板１６とほぼ同じ長さで、その波板の凹凸条を下箱１２の長手方向に向けている。
【００３８】
第２実施形態によれば、側板１２Ｂの上部中央を集中的に補強することで、下箱１２の強度をさらに高めることができる。なお、補助板２１は、枠板１２Ｄの直ぐ下にを配置されるため、棺の使用時に邪魔になることはない。
【００３９】
［第３実施形態］
本考案の第３実施形態を図１０に示した。第３実施形態は、平面形状が八角形の棺に本考案を適用したものである。
図１０に示すように、段ボール棺３０は、下箱１２と上蓋１３が平面方向から見て八角形になるように四隅部が面取りされる。上蓋１３の上端四隅は三角形に面取りされて宝飾品のような多面体の外観になっている。
下箱１２の内側底部の左右隅には、第１実施形態と同様な筋交い板１６が設けられる。下箱１２の上端部には、側板１２Ｂおよび妻板１２Ｃの先端を内側に折り返して補強枠（枠板１２Ｄ）が形成されている。側板１２Ｂと妻板１２Ｃとを繋ぐコーナ部分には、面取り板１２Ｅが設けられる。
【００４０】
第３実施形態によれば、第１実施形態と同様に、筋交い板１６と補強枠（１２Ｄ）により下箱１２の歪みや変形を防止することができる。
また、下箱１２と上蓋１３に宝飾品のような面取りが施されるため、その外観の高級感が増して棺のデザイン性を高めることができる。
【００４１】
［その他の実施形態］
以上、第１〜第３実施形態の段ボール棺を例示したが、本考案の実施形態はこれらに限定されることなく、下記の通り種々の変形・変更を伴ってもよい。
例えば、第１〜第３実施形態では、下箱１２に本考案を適用しているが、上蓋１３に本考案を適用してもよい。
また、第１〜３実施形態において、下箱１２の枠板１２Ｄについては、必ずしも設ける必要はなく、必要に応じて省略してもよい。
また、展開シートＰ1における底板１２Ａ、側板１２Ｂおよび妻板１２Ｃの配置については、第１〜３実施形態に限られず、例えば側板１２Ｂの長手方向の前後端に妻板１２Ｃの全部または一部を折り曲げ可能に設けてもよい。
さらに、強化段ボール材は、三層強化段ボールに限られず、その他の多層段ボール材、ハニカム構造の段ボール材等を用いてもよい。
【符号の説明】
【００４２】
１０    段ボール棺
１２    下箱（箱体）
１２Ａ  底板
１２Ｂ，１２Ｂ  側板
１２Ｃ  妻板
１２Ｄ  枠板（補強枠）
１３    上蓋
１４    小窓
１６    筋交い板
２１    補助板
Ｐ1    展開シート
ｘ1    横Ｖ溝
ｙ1    縦Ｖ溝
Ｒf，Ｒb  厚板
ｒ1，ｒ2，ｒ3  波板
ｒ4，ｒ5  仕切り板
【図１】
0003176847.tif 000003
【図２】
0003176847.tif 000004
【図３】
0003176847.tif 000005
【図４】
0003176847.tif 000006
【図５】
0003176847.tif 000007
【図６】
0003176847.tif 000008
【図７】
0003176847.tif 000009
【図８】
0003176847.tif 000010
【図９】
0003176847.tif 000011
【図１０】
0003176847.tif 000012
【図１１】
0003176847.tif 000013
【図１２】
0003176847.tif 000014